(57)【要約】【課題】  輸送時の振動や揺れに対して衣服をしっかり固定でき、しかも同じ又は異なるサイズの衣服を小さなスペースで多数掛けることができる衣服用ハンガーを提供する。【解決手段】  上着の左右肩の部分が掛かる一段目のハンガー部とこのハンガー部の中央に立設した軸部とこの軸部の上端に連設したフック部とからなるハンガー本体、及び前記軸部に回転不能状態で取付けられかつ前記軸部の長さに合わせて一個から複数個まで順次取付けられる二段目又は複数段の別体のハンガー部を備え、かつ前記ハンガー部は一段目から二段目と上方にいくに従って順次幅と厚みが大きくなると共に取付け状態では互いの上下間に上着の左右肩の部分が嵌り込むスペースを形成するようにしたことを特徴とする衣服用ハンガー。【選択図】  図１
2007082889.tif 000002
【特許請求の範囲】
【請求項１】
上着の左右肩の部分が掛かる一段目のハンガー部とこのハンガー部の中央に立設した軸部とこの軸部の上端に連設したフック部とからなるハンガー本体、及び前記軸部に回転不能状態で取付けられかつ前記軸部の長さに合わせて一個から複数個まで順次取付けられる二段目又は複数段の別体のハンガー部を備え、
かつ前記ハンガー部は一段目から二段目と上方にいくに従って順次幅と厚みが大きくなると共に取付け状態では互いの上下間に上着の左右肩の部分が嵌り込むスペースを形成するようにしたことを特徴とする衣服用ハンガー。
【請求項２】
別体のハンガー部は中央に孔を有し、この中央の孔によって前記軸部に上方から回転不能状態で挿入されることを特徴とする請求項１に記載の衣服用ハンガー。
【請求項３】
フック部のフック部分にフック時の抜け落ち防止のためのストッパーが取り付けられていることを特徴とする請求項１又は２に記載の衣服用ハンガー。
【請求項４】
一段目のハンガー部の下方にズボンやスカートを吊り下げるための吊り下げ具がさらに設けられていることを特徴とする請求項１〜３のいずれか一項に記載の衣服用ハンガー。
【発明の詳細な説明】
【技術分野】
【０００１】
本発明は、しわを付けずに複数の衣服（上着）を小さなスペースでまとめて掛けることができ、しかも輸送時の振動や揺れに対して強固に衣服（上着）を固定できる衣服用ハンガーに関するものである。
【背景技術】
【０００２】
しわを付けずに複数の衣服（上着）を掛けるときには、一着ずつ衣服（上着）用ハンガーに掛けるのが通例なので、衣服（上着）の数だけの衣服（上着）用ハンガーが必要になる。そのためにハンガーラックのバーに一着ずつ衣服（上着）用ハンガーを引っ掛けて収納（保管）あるいは輸送するときに、バーの長手方向にその分だけのスペースが必要となってハンガーラックが長いものになったり、ハンガーラックの数が増えたりしていた。また逆に、長さの制限されるハンガーラックでは引っ掛けられる衣服（上着）用ハンガーの数が限られるために、掛ける数に制約を受ける収納（保管）、輸送になったりしていた。
【０００３】
そこで、従来では、例えば特許文献１にあるような「衣服用ハンガーの吊り下げ具」を使って、一つの衣服用ハンガーの下方にさらに別の衣服用ハンガーを吊り下げて衣服を上下方向に二着吊すものが提案されている。この方法は、バーの長手方向にスペースを取らずに衣服を上下に二着（三段にすれば三着、またそれ以上も）吊り下げることができる点で確かに優れている。
【０００４】
しかしながら、上述の従来の衣服用ハンガーの吊り下げ具を使うと、この衣服用ハンガーの吊り下げ具による固着（セット）力が弱い（自由に動く）ために、特にコンテナ輸送をするときには振動や揺れによって衣服用ハンガーがハンガーラックのバーから落下したり、吊り下げ具で吊り下げられた下方側の衣服用ハンガーが脱落して落下することがあった。また、従来の衣服用ハンガーは、同じ大きさのハンガーを上下方向に連結しているだけのため、同じサイズの衣服を互いに干渉せずに複数掛けることに限界があった。
【発明の開示】
【発明が解決しようとする課題】
【０００５】
本発明は、かかる従来技術の現状に鑑み創案されたものであり、その目的は輸送時の振動や揺れに対して衣服をしっかり固定でき、しかも同じ又は異なるサイズの衣服を小さなスペースで多数掛けることができる衣服用ハンガーを提供することにある。
【特許文献１】特開平１０−５２３５４号公報
【課題を解決するための手段】
【０００６】
本発明は、上着の左右肩の部分が掛かる一段目のハンガー部とこのハンガー部の中央に立設した軸部とこの軸部の上端に連設したフック部とからなるハンガー本体、及び前記軸部に回転不能状態で取付けられかつ前記軸部の長さに合わせて一個から複数個まで順次取付けられる二段目又は複数段の別体のハンガー部を備え、かつ前記ハンガー部は一段目から二段目と上方にいくに従って順次幅と厚みが大きくなると共に取付け状態では互いの上下間に上着の左右肩の部分が嵌り込むスペースを形成するようにしたことを特徴とする衣服用ハンガーである。
【発明の効果】
【０００７】
本発明の衣服用ハンガーは、複数段のハンガー部を備える構造体とすることにより、しわを付けずに複数の衣服（上着）をまとめて掛けることができ、その上ハンガーラックに掛けたときにバーの長手方向にスペースを取らないと共に、全体として強固にコンパクト化されているのでコンテナ輸送時の振動や揺れに対しても強いし、壊れて衣服が落下することがない。また、本発明の衣服用ハンガーは、各ハンガー部が上段にいくに従って左右肩の幅と厚みを大きくするように設計されているので、同じサイズの衣服を上下に掛けても互いに干渉せずに固定できる。
【発明を実施するための最良の形態】
【０００８】
本発明の衣服用ハンガーは、衣服（上着）の左右肩の部分が掛かる一段目のハンガー部とこのハンガー部の中央に立設した軸部とこの軸部の上端に連設したフック部とからなるハンガー本体、及び前記軸部に回転不能状態で取付けられかつ前記軸部の長さに合わせて一個から複数個まで順次取付けられる二段目又は複数段の別体のハンガー部を備えることにより、輸送時の振動や揺れに対する安定した固定や、コンパクト設計及びスペース効率の向上を実現した。また、本発明の衣服用ハンガーは、一段目から二段目と上方にいくに従って順次幅と厚みが大きくなると共に取付け状態では互いの上下間に上着の左右肩の部分が嵌り込むスペースを形成することにより、複数の同じサイズの衣服の固定や、コンパクト設計及びスペース効率の向上を実現した。
【実施例】
【０００９】
本発明の一実施例を図１〜図８について説明する。図１は本発明の衣服用ハンガーの正面図、図２は図１を下から見た図、図３は図１中イ−イ線に沿う断面図、図４は図１のハンガー本体を示す縦断正面図、図５は図１の別体のハンガー部を示す縦断正面図、図６は図４のフック部を示す正面図、図７は図４の軸抜け止めを示すもので（イ）は正面図、（ロ）は平面図、図８は図４のストッパーを示すもので（イ）は正面図、（ロ）は平面図である。
【００１０】
図において、１はハンガー本体で、衣服（上着）２の左右肩の部分が掛かる一段目のハンガー部１ａとこの一段目のハンガー部１ａの中央に立設される断面楕円形の軸部１ｂとこの軸部１ｂの上端に連設されるフック部１ｃとからなっている。
【００１１】
一段目のハンガー部１ａと軸部１ｂとは、ＡＢＳ樹脂などの強固なプラスチック材などにより一体成形されている。軸部１ｂの外周面には、段部１００を上下方向に数個設けてある。フック部１ｃは、図６に示すように金属棒によりフック部分１０１と棒部分１０２とに形成されている。そして、この棒部分１０２がハンガー本体１の軸部１ｂに上から挿入されて軸抜け止め３により止められることにより、フック部１ｃが軸部１ｂに固着されている。
【００１２】
次に、４は中央の楕円孔４ａによってハンガー本体１の軸部１ｂに上から挿入するようにした別体のハンガー部で、強固なプラスチック材などにより成形された別体の成型品として、四個有している。
【００１３】
この四個の別体のハンガー部４は、図１〜図３に示すようにハンガー本体１の一段目のハンガー部１ａに対して上方にいくに従って二段目から五段目の幅と厚みが順次大きくなるようにサイズを少しずつ変えてある。こうすることによって、図１に示すように衣服（上着）２を掛けたときに、五着の重ね掛けが容易となる。さらに詳しく説明すると、ハンガー本体の一段目のハンガー部１ａの幅と厚みは人間の肩の幅と厚みよりかなり小さく、衣服（上着）はかなり窄んだ状態でハンガー部に掛けられる。二段目から五段目のハンガー部４の幅と厚みは順次大きくなっており、衣服（上着）は順次窄みを小さくしながらハンガー部に掛けられる。五段目のハンガー部４の幅と厚みは人間の肩の幅と厚みにかなり近い。このため、本発明の衣服用ハンガーには一段目から五段目まで同じサイズの服を互いに干渉せずに重ね掛けすることができる。もちろん、一段目から五段目にいくに従って小さい衣服（上着）２から大きい衣服（上着）２へと順次重ね掛けしていくこともできる。なお、ここで言う幅と厚みは衣服（上着）を掛けたときの上方から見た肩の幅と厚みを指す。
【００１４】
各別体のハンガー部４において、その楕円孔４ａの上の部分にはそれぞれ突起４００を設けてある。よって、各別体のハンガー部４をハンガー本体１の軸部１ｂにそれぞれ挿入したときに、この突起４００が段部１００に係合して各別体のハンガー部４がそれぞれ上下方向に位置決めされるので、一段目のハンガー部１ａと二段目の別体のハンガー部４との間、及び二段目から五段目の各別体のハンガー部４の互いの間にそれぞれ衣服（上着）２の左右肩の部分が嵌り込むスペース５ができ、衣服（上着）２を五着重ね掛けするときに衣服（上着）２にしわを生じることなく容易に重ね掛けできる。
【００１５】
今、ハンガー本体１に対してその軸部１ｂに各別体のハンガー部４を順次挿し込んで図１〜図３に示すようにハンガーを完成させると、この状態では各別体のハンガー部４の突起４００が軸部１ｂの段部１００にしっかりと嵌り込んで一体化するので、四個の別体のハンガー部４は軸部１ｂにそれぞれ強固に固着されて一個体となる。
【００１６】
このように固着された状態では、前記したように各ハンガー部１ａ、４の間にそれぞれスペース５が形成されるので、これをハンガーラックのバー６に引っ掛けると、この各スペース５を利用して衣服（上着）２を吊り下げることができる。そのとき、フック部１ｃのフック部分１０１にストッパー７を図１、図４に示すように取り付けておくと、ハンガーがバー６から抜け落ちることがない。なお、家庭で使用する場合は振動や揺れを受けることが少ないのでストッパー７は省略することができる。
【００１７】
以上のように五段のハンガー部１ａ、４を備える構造体とすることにより、しわを付けずに五着の衣服（上着）２をまとめて吊り下げることができ、その上ハンガーラックに掛けたときにバー６の長手方向にスペースを取らないと共に、全体として強固にコンパクト化されているのでコンテナ輸送時の振動や揺れに対しても強いし、ハンガーが壊れて衣服（上着）２が落下することがない。
【００１８】
上記実施例では別体のハンガー部４を四個として五段のハンガー部１ａ、４を備える構造体としたが、別体のハンガー部４を一個として二段に、また別体のハンガー部４を二個として三段にしたりすることにより、用途に合わせた段数のハンガーが得られるようになる。その際、段数に合わせて軸部１ｂの段部１００の数も合わせ、軸部１ｂの長さも合わせることは勿論である。
【００１９】
また、上記実施例では軸部１ｂを断面楕円形とし、各別体のハンガー部４の楕円孔４ａをこれにそれぞれ嵌り込む楕円形状としたが、軸部１ｂに対して各別体のハンガー部４が回転しない形状であれば、例えば四角形などであっても良いことは勿論である。
【００２０】
さらに、上記実施例においてフック部１ｃに棒部分１０２を設けたのは、プラスチック材からなる一段目のハンガー部１ａと軸部１ｂとの成形体に強度を持たせるためで、ハンガー全体の重みの掛かるハンガー本体１の一段目のハンガー部１ａの部分を下から持ち上げてフック部分１０１の大きな重みに耐えることができるようにしてある。
【００２１】
さらに、上記実施例ではハンガー部は衣服の上着のみを吊り下げる構造としたが、一段目のハンガー部１ａの下方にズボンやスカートを吊り下げるための吊り下げ具を設けても良い。吊り下げ具としてはクリップやバー等の従来公知の構造を採用することができる。そのとき、吊り下げ具に吊り下げることのできるズボンやスカートの数をハンガー部の段数と合わせれば、複数のスーツの上下を一つの衣服用ハンガーで掛けることができる。
【００２２】
以上、本発明の衣服用ハンガーの好適例を説明したが、本発明の特許請求の範囲の記載を逸脱しない限り、いかなる公知技術の組合せ、変更、修正、追加も本発明の範ちゅうに属するものである。例えば、別体のハンガー部の軸部への取付け方法は図示された実施態様に示すものに限らず、別体のハンガー部の中央に溝を設け、この溝を利用して、前記軸部に側方から回転不能状態で嵌合させることによって行うこともできる。要するに、上段にいくに従って左右の肩の幅と厚みが大きくなる複数段のハンガー部を使用し、複数の衣服（上着）をまとめて掛けることを可能にする限り、本発明の技術的範囲に属する。
【産業上の利用可能性】
【００２３】
本発明の衣服用ハンガーは、小さなスペースでしわを付けずに複数の衣服（上着）をまとめて掛けることのできる衣服（上着）用ハンガーに広く活用できる。本発明の衣服用ハンガーは、特に衣服（上着）を多量に安全に輸送する用途に好適である。
【図面の簡単な説明】
【００２４】
【図１】本発明の一実施例を示す正面図である。
【図２】図１を下からみた図である。
【図３】図１中イ−イ線に沿う断面図である。
【図４】図１のハンガー本体を示す縦断正面図である。
【図５】図１の別体のハンガー部を示す縦断正面図である。
【図６】図４のフック部を示す正面図である。
【図７】図４の軸抜け止めを示すもので（イ）は正面図、（ロ）は平面図である。
【図８】図４のストッパーを示すもので（イ）は正面図、（ロ）は平面図である。
【符号の説明】
【００２５】
１：ハンガー本体
１ａ：一段目のハンガー部
１ｂ：軸部
１ｃ：フック部
１００：軸部１ｂの段部
１０１：フック部１ｃのフック部分
１０２：フック部１ｃの棒部分
２：衣服（上着）
３：軸抜け止め
４：別体のハンガー部
４ａ：楕円孔
４００：楕円孔４ａの突起
５：スペース
６：ハンガーラックのバー
７：ストッパー
【図１】
2007082889.tif 000003
【図２】
2007082889.tif 000004
【図３】
2007082889.tif 000005
【図４】
2007082889.tif 000006
【図５】
2007082889.tif 000007
【図６】
2007082889.tif 000008
【図７】
2007082889.tif 000009
【図８】
2007082889.tif 000010